(57)【特許請求の範囲】
【請求項１】
取付面に回転可能に支持された巻取軸にスクリーンを巻着して、該巻取軸を回転駆動することにより前記スクリーンを昇降可能とし、前記スクリーンの両側縁を一対のガイドレールで案内し、前記ガイドレール内には前記スクリーンを幅方向に緊張しながら該ガイドレールの開口幅を調整可能とする調整装置を備えたロールブラインドのスクリーン案内装置において、
前記調整装置は、前記スクリーンの側縁を支持するインナーレールと、
前記ガイドレール内において、前記インナーレールを前記スクリーンを緊張する方向に付勢するスプリングと
から構成し、
前記スプリングは、コイルスプリングで構成し、このコイルスプリングは、中間部を前記インナーレールに係合させ、両端部を前記ガイドレールに係止した捩じりコイルスプリングで構成した
ことを特徴とするロールブラインドのスクリーン案内装置。
【請求項２】
前記捩じりコイルスプリングは、前記ガイドレールの開口部から弾性的に変形させながら、該ガイドレールの内側面の係止溝に係合可能としたことを特徴とする請求項１記載のロールブラインドのスクリーン案内装置。
【請求項３】
前記捩じりコイルスプリングの両端部は、前記インナーレールから前記ガイドレールの内側面に向かって突出することを特徴とする請求項１または２のいずれかに記載のロールブラインドのスクリーン案内装置。
【発明の詳細な説明】
【０００１】
【発明の属する技術分野】
この発明は、ロールブラインドのスクリーン両端部を案内する案内装置に関するものである。
【０００２】
【従来の技術】
ロールブラインドのスクリーン両端を案内する案内装置の一例を図６に従って説明する。
【０００３】
スクリーン１の両側縁には、ファスナー２が縫着されている。スクリーン１の両側には、ガイドレール３が配設され、そのガイドレール３内にはインナーレール４が配設されている。
【０００４】
そして、ファスナー２の端縁がインナーレール４に上下動可能に支持されている。従って、スクリーン１はガイドレール３に沿って上下動可能に支持される。
前記インナーレール４とガイドレール３の開口縁との間にはゴム材５が配設され、そのゴム材５によりインナーレール４がスクリーン１の幅方向に弾性的に保持されている。
【０００５】
また、ガイドレール３の開口縁にはカバー６が嵌着されて、ガイドレール３内のインナーレール４及びゴム材５を居住者の視界から覆い隠すようになっている。
【０００６】
【発明が解決しようとする課題】
上記のようなロールブラインドでは、インナーレール４とガイドレール３との間にゴム材５が配設されているので、スクリーン１を幅方向に引っ張ることにより、そのゴム材５の弾性を利用して、ガイドレール３間の開口寸法を僅かに調整することができる。
【０００７】
しかし、ゴム材５の硬度を高くすると、開口寸法の調整範囲を十分確保することはできず、ゴム材５の硬度を低くすると、スクリーン１を十分に緊張することができない。
【０００８】
また、ガイドレール３内にインナーレール４を組み込んでゴム材５を両面テープ等で固定した後、ガイドレール３の開口縁にカバー６を嵌着する必要があるため、その組み立て作業が煩雑である。
【０００９】
この発明の目的は、ガイドレール３間の開口寸法の調整範囲を十分に確保しながら、スクリーンを十分に緊張可能とし、かつ容易に組み立て可能としたロールブラインドのスクリーン案内装置を提供することにある。
【００１０】
【課題を解決するための手段】
請求項１では、取付面に回転可能に支持された巻取軸にスクリーンを巻着して、該巻取軸を回転駆動することにより前記スクリーンを昇降可能とし、前記スクリーンの両側縁を一対のガイドレールで案内し、前記ガイドレール内には前記スクリーンを幅方向に緊張しながら該ガイドレールの開口幅を調整可能とする調整装置を備えたロールブラインドのスクリーン案内装置において、前記調整装置は、前記スクリーンの側縁を支持するインナーレールと、前記ガイドレール内において、前記インナーレールを前記スクリーンを緊張する方向に付勢するスプリングとから構成し、前記スプリングは、コイルスプリングで構成し、このコイルスプリングは、中間部を前記インナーレールに係合させ、両端部を前記ガイドレールに係止した捩じりコイルスプリングで構成した。
【００１２】
請求項２では、前記捩じりコイルスプリングは、前記ガイドレールの開口部から弾性的に変形させながら、該ガイドレールの内側面の係止溝に係合可能とした。
【００１３】
請求項３では、前記捩じりコイルスプリングの両端部は、前記インナーレールから前記ガイドレールの内側面に向かって突出する。
【００１４】
【発明の実施の形態】
以下、この発明を具体化したロールブラインドの一実施の形態を説明する。
図１に示すロールブラインドは、天井面等に固定される取付ブラケット１１間に巻取軸１２が回転可能に支持されている。
【００１５】
前記巻取軸１２内には、モータ（図示しない）が配設され、取付ブラケット１１を支点とするモータの回転力により巻取軸１２が回転駆動されるようになっている。
【００１６】
前記巻取軸１２にはスクリーン１３が巻着され、同スクリーン１３を巻取軸１２に巻取り、あるいは巻き戻し可能となっている。
前記スクリーン１３の下端には、ウェイトバー１４が吊下支持され、前記スクリーン１３の両側には、ガイドレール１５が配設されている。そして、前記スクリーン１３及びウェイトバー１４は、その両側部がガイドレール１５に案内された状態で昇降される。
【００１７】
前記ガイドレール１５内には、前記スクリーン１３を幅方向に緊張しながら、ガイドレール１５間の開口寸法を調整可能とする調整装置１６が設けられている。
【００１８】
前記調整装置１６の具体的構成を図２に従って説明すると、前記スクリーン１３の両側縁にはファスナー１７が取着され、そのファスナー１７は前記ガイドレール１５内においてほぼその全長にわたって配設されるインナーレール１８の先端部に上下動可能に支持されている。
【００１９】
前記インナーレール１８には、捩じりコイルスプリングで構成されるクッションバネ１９が取着されている。その具体的構成を図２及び図５に従って説明すると、前記インナーレール１８はその基端部に前記ガイドレール１５内に向かって突出する突片２２が形成され、その突片２２の先端部には断面鏃状の係止突部２３が形成されている。
【００２０】
前記クッションバネ１９は、コイル部２４の中間部がガイドレール１５の奥部に向かって斜め上方に無端状に折り曲げられて掛止部２５が形成され、その掛止部２５は前記係止突部２３を嵌合可能とするように、先端に向かって幅広に形成されている。
【００２１】
そして、コイル部２４を押し広げるようにして、インナーレール１８の突片２２を掛止部２５内に挿入すると、突片２２がコイル部２４間に挟着されるとともに、掛止部２５が係止突部２３に係合する。すると、クッションバネ１９はインナーレール１８に対し容易には抜けない状態で支持される。
【００２２】
前記クッションバネ１９の両端部は、ガイドレール１５の開口部側の内側面に向かって斜め上方に折り曲げられて、ガイドレール１５の内側面に形成された係止溝２０に係合している。
【００２３】
そして、係止溝２０を支点とするクッションバネ１９の付勢力により、インナーレール１８はガイドレール１５内に向かって、すなわち図２において矢印Ａ方向に付勢される。
【００２４】
なお、クッションバネ１９は左右のガイドレール３内において線対称状に配設される。
前記ガイドレール３の内側面には、前記インナーレール１８に向かって突出するモヘア２１がその全長にわたって設けられ、各モヘア２１の先端部はインナーレール１８に当接して、スクリーン１３前後の光の洩れを遮断し、あるいは気密性を向上させるようになっている。
【００２５】
上記のような調整装置１６は、ガイドレール１５にモヘア２１を取着し、インナーレール１８にクッションバネ１９を取着した状態で、同インナーレール１８をガイドレール１５の開口部から挿入する。
【００２６】
すると、クッションバネ１９の両端部が変形しながらガイドレール１５内に挿入されて、やがて係止溝２０に係合し、この状態で組み立てが完了する。
上記のように構成されたロールブラインドでは、次に示す作用効果を得ることができる。
（１）クッションバネ１９の弾性により、ガイドレール３間の開口幅の調整範囲を十分に確保することができる。すなわち、図２に示す状態からクッションバネ１９の付勢力に抗してインナーレール１８をガイドレール１５の開口部方向に移動させれば、図３に示すように、ガイドレール３間の開口幅を拡大することができる。また、図２に示す状態からクッションバネ１９の付勢力により、インナーレール１８をガイドレール３内に移動させれば、図４に示すように、ガイドレール３間の開口幅を縮小することができる。
（２）クッションバネ１９及びスクリーン１３を取着したインナーレール１８をガイドレール１５の開口部から同ガイドレール１５内に挿入して、クッションバネ１９を係止溝２０に係合させることにより、インナーレール１８をガイドレール１５に容易に取着することができる。従って、スクリーン１３の案内装置を容易に組み立てることができる。
（３）クッションバネ１９の付勢力による反作用により、インナーレール１８にガイドレール１５の開口部方向への引張力が作用しても、クッションバネ１９の掛止部２５がインナーレール１８の係止突部２３に係合しているので、インナーレール１８はガイドレール１５内で確実に支持される。
（４）クッションバネ１９を両面テープ等を使用することなく、インナーレール１８に容易に嵌着することができる。
（５）クッションバネ１９は、捩じりコイルスプリングで構成されるので、ガイドレール１５の開口幅の調整範囲を十分に確保することができる。
（６）クッションバネ１９は、その両端部がガイドレール１５の内側面に向かって突出して、係止溝２０に係止されるので、インナーレール１８をガイドレールの前後方向、すなわち図２において上下方向に小型化することができる。従って、ガイドレール１５の開口部の幅を小さくして、前記従来例で取着したカバーを省略することができるので、案内装置を容易に組み立てることができる。
【００２７】
上記実施の形態は、次に示すように変更することもできる。
・クッションバネ１９は、捩じりコイルスプリングに代えて、インナーレール１８をガイドレール１５内に向かって付勢するコイルスプリング、あるいは板バネとしてもよい。
【００２８】
【発明の効果】
以上詳述したように、この発明はガイドレール３間の開口寸法の調整範囲を十分に確保しながら、スクリーンを十分に緊張可能とし、かつ容易に組み立て可能としたロールブラインドのスクリーン案内装置を提供することができる。
【図面の簡単な説明】
【図１】  ロールブラインドを示す正面図である。
【図２】  スクリーン案内装置を示す断面図である。
【図３】  スクリーン案内装置の動作を示す平面図である。
【図４】  スクリーン案内装置の動作を示す平面図である。
【図５】  調整装置を示す正面図である。
【図６】  従来例を示す断面図である。
【符号の説明】
１２        巻取軸
１３        スクリーン
１５        ガイドレール
１８        インナーレール
１９        スプリング（クッションバネ）
【図１】
0004820021.tif 000002
【図２】
0004820021.tif 000003
【図３】
0004820021.tif 000004
【図４】
0004820021.tif 000005
【図５】
0004820021.tif 000006
【図６】
0004820021.tif 000007